(57)【要約】【課題】油吸着剤の交換を適切に行う。【解決手段】油水分離槽１に入口６を液中に開口するトラップ管２を設け、油泥水を、油泥を分離しつつ、トラップ管２を介して排水を行う油水分離装置において、トラップ管２の入口路１７の所定レベルの液中に、油吸着剤１２を装填すると共に、その油吸着剤１２の油吸着量が所定量以上のとき、トラップ管２の入口路１７の液の流通を阻止して、油水分離槽１の液位によって上方へ移動する油吸着剤用バスケット１３を配設し、油吸着剤用バスケット１３の移動量を、油水分離槽１の外部にて確認可能に表示する移動量表示装置１８を設ける。【選択図】図１
2005334721.tif 000002
【特許請求の範囲】
【請求項１】
油水分離槽に入口を液中に開口するトラップ管を設け、油泥水を、油泥を分離しつつ、トラップ管を介して排水を行う油水分離装置において、
前記トラップ管の入口路の所定レベルの液中に、油吸着剤を装填すると共に、その油吸着剤の油吸着量が所定量以上のとき、トラップ管の入口路の液の流通を阻止して、油水分離槽の液位によって上方へ移動する油吸着剤用バスケットを配設し、
該油吸着剤用バスケットの移動量を、油水分離槽の外部にて確認可能に表示する移動量表示装置を設けたことを特徴とする油水分離装置。
【請求項２】
前記トラップ管の入口路の上方に、前記油吸着剤用バスケットの油吸着剤の交換用口を設けると共に、トラップ管の流路を遮断するシャッター機構の操作部を設けたことを特徴とする請求項１に記載の油水分離装置。
【請求項３】
前記油吸着剤用バスケットが上方へ所定量移動したときに、該位置に油吸着剤用バスケットを保持する保持手段を設けたことを特徴とする請求項１または２に記載の油水分離装置。
【発明の詳細な説明】
【技術分野】
【０００１】
この発明は、油泥を含む排水より油泥を分離する油水分離装置に関する。
【背景技術】
【０００２】
油水分離装置は、油水分離槽に入口を液中に開口するトラップ管を設け、油水を、油分を分離しつつ、排水するようにしているが、この場合、油水分離槽の下流に油吸着材を設けた油吸着槽を配置して、排水を油吸着槽を通過させるようにしたものがある（例えば、特許文献１）。
【特許文献１】特開２００１−１１３２６６
【発明の開示】
【発明が解決しようとする課題】
【０００３】
しかし、このような油吸着材は、油吸着量が飽和状態に達した場合、交換する必要がある。そのため、油吸着によって油吸着材が変色することを確認できるようにするために、油吸着槽をガラス等で形成しているが、この場合、泥水等を含んでいたり、油吸着槽が汚れてくると、油吸着材の変色を見分けにくくなる問題がある。また、油水分離槽を地中に配置して、油吸着槽を並置した場合、油吸着材の変色を確認しにくくなる。
【０００４】
この発明は、このような問題点を解決することを目的としている。
【課題を解決するための手段】
【０００５】
本発明は、油水分離槽に入口を液中に開口するトラップ管を設け、油泥水を、油泥を分離しつつ、トラップ管を介して排水を行う油水分離装置において、トラップ管の入口路の所定レベルの液中に、油吸着剤を装填すると共に、その油吸着剤の油吸着量が所定量以上のとき、トラップ管の入口路の液の流通を阻止して、油水分離槽の液位によって上方へ移動する油吸着剤用バスケットを配設し、油吸着剤用バスケットの移動量を、油水分離槽の外部にて確認可能に表示する移動量表示装置を設ける。
【発明の効果】
【０００６】
本発明によれば、油吸着剤の交換を適切に実施でき、油水分離処理を適切に行える。
【発明を実施するための最良の形態】
【０００７】
以下、本発明の実施形態を図面に基づいて説明する。
【０００８】
図１において、１は複数の油水分離槽のうちの最下流の油水分離槽を示す。複数の油水分離槽は、順にトラップ管によってつなぎ、油泥水を、油泥を分離しつつ、順に上流側の油水分離槽から下流側の油水分離槽に送って、最下流の油水分離槽１のトラップ管２を介して排水する。
【０００９】
このトラップ管２は、前部に鉛直方向に管状支持部３を形成した外装トラップ管４と、その管状支持部３に摺動自由に貫装した内装トラップ管５とからなる。
【００１０】
内装トラップ管５の下部の入口６は、油水分離槽１の液中に開口する。内装トラップ管５の上部には、後述する油吸着剤の交換用口７を形成して、その交換用口７を開閉かつ管状支持部３の上端に当接して内装トラップ管５の下限位置（セット位置）を定める上蓋８を取り付けている。
【００１１】
内装トラップ管５の中央側部には、内装トラップ管５がセット位置にあるときに内装トラップ管５の管内を外装トラップ管４の流路１０に連通する開口部１１を形成しており、その開口部１１は内装トラップ管５が所定の上方位置にくると遮断するようにしている。
【００１２】
内装トラップ管５の管内には、油吸着剤１２を装填する油吸着剤用バスケット１３を配設する。
【００１３】
油吸着剤用バスケット１３は、図２のように上面および下面に排水の通孔１４を設けたケースからなり、例えば上面に形成した取入口（図示しない）を開いてケース内に所定量の油吸着剤１２を装填する（交換する油吸着剤は取り除く）。油吸着剤１２は、所定の大きさの粒状のものを用いる。
【００１４】
油吸着剤用バスケット１３は、内装トラップ管５の内面に摺接かつ内面に沿って移動自由に形成して、ロッド１６を取り付け、内装トラップ管５の入口路１７の所定レベル（液中）に配設する。
【００１５】
ロッド１６の上部は、内装トラップ管５の上蓋８に設けた穴部に挿通され、先端に油吸着剤用バスケット１３の移動量を表示するインジケータプレート１８を取り付ける。
【００１６】
ロッド１６と上蓋８との間には、ロッド１６に取り付けたリテーナ２０を介して油吸着剤用バスケット１３を内装トラップ管５の入口路１７の所定レベルに位置させるべく付勢するスプリング２１を介装する。ロッド１６の途中にはラチェット２２を取り付け、油吸着剤用バスケット１３が上方へ所定量移動すると、ラチェット２２が内装トラップ管５の上蓋８に係止して、その位置に油吸着剤用バスケット１３を保持するようにしている。
【００１７】
内装トラップ管５の上蓋８には、取っ手２３を設けてあり、油吸着剤用バスケット１３の油吸着剤１２の交換時等に、取っ手２３をつかんで内装トラップ管５を持ち上げ、上蓋８を開けることができるようになっている。
【００１８】
油水分離槽１には蓋２４を設けており、蓋２４には前記インジケータプレート１８用の開口２５を設けている。インジケータプレート１８は、内装トラップ管５、油吸着剤用バスケット１３をセットした状態にあって、蓋２４と同レベルに位置するように、ロッド１６に取り付けている。
【００１９】
このように構成したため、油水分離槽１に流入した排水は、内装トラップ管５の入口６より入り、油吸着剤用バスケット１３の油吸着剤１２によって油分を吸着されて、外装トラップ管４の流路１０に流れ、排出されるが、排水の処理の期間、量に伴って、油吸着剤１２の油吸着量が次第に増加してくると共に、その油吸着量の増加によって、油吸着剤１２の隙間は減少してくる。
【００２０】
そして、油吸着剤１２の油吸着量が所定量以上になると、油吸着剤１２の隙間が塞がり、油吸着剤用バスケット１３を排水が通過できなくなる。
【００２１】
すると、内装トラップ管５の入口路１７を排水が流通できず、油水分離槽１の液位が上昇して、その液圧が油吸着剤用バスケット１３にかかり、油吸着剤用バスケット１３が図３のように上方へ移動する。
【００２２】
これに伴い、油吸着剤用バスケット１３のロッド１６の先端のインジケータプレート１８が上昇する。
【００２３】
そのため、油吸着剤１２の油吸着量が飽和状態に達して油吸着剤１２の交換時期が来たことを油水分離槽１の外部から確認できる。この場合、油吸着剤用バスケット１３が上方へ所定量移動すると、ラチェット２２が油吸着剤用バスケット１３を保持するので、何らかの要因により油水分離槽１の液位が下がっても、油吸着剤１２の油吸着量が飽和状態に達して油吸着剤１２の交換時期が来たことを的確に確認できる。また、インジケータプレート１８は、油水分離槽１の蓋２４の位置より上方へ突出するので、油吸着剤１２の油吸着量が飽和状態に達して油吸着剤１２の交換時期が来たことの確認を容易に行える。
【００２４】
したがって、油吸着剤１２の交換を適切に実施でき、排水の油分分離処理を適切に行える。
【００２５】
一方、油吸着剤１２を交換するときは、内装トラップ管５の上蓋８の取っ手２３をつかんで、内装トラップ管５を持ち上げ、交換用口７を開くと、油吸着剤用バスケット１３を取り出すことができる。
【００２６】
この場合、内装トラップ管５を持ち上げると、図４のように外装トラップ管４の流路１０に連通する開口部１１が閉じるため、油吸着剤１２の交換時に、油水分離槽１の排水が流出するのを防止できる。また、何らかの故障等によって油水分離槽１に大量の油が流れ込んだ場合にも、開口部１１を閉じることによって、油の流出防止に有効に機能させることができる。
【００２７】
なお、実施の形態では、油吸着剤用バスケット１３の上方への移動をインジケータプレート１８によって確認するようにしているが、油吸着剤用バスケット１３の上方への移動を検知するセンサを設けて、その移動状態をセンサの検出信号を基に電気的に表示あるいは報知するようにしても良い。
【００２８】
また、実施の形態では、複数の油水分離槽のうちの最下流の油水分離槽１のトラップ管２に適用した例を示したが、最下流の油水分離槽１よりも上流側の油水分離槽のトラップ管に適用しても良い。
【産業上の利用可能性】
【００２９】
自動車整備工場、ガソリンスタンドならびにそれ以外の工場施設に適用できる。
【図面の簡単な説明】
【００３０】
【図１】本発明の実施形態の概略構成断面図である。
【図２】油吸着剤用バスケット部分の斜視図である。
【図３】動作説明図である。
【図４】機能説明図である。
【符号の説明】
【００３１】
１  油水分離槽
２  トラップ管
４  外装トラップ管
５  内装トラップ管
６  入口
７  交換用口
１２  油吸着剤
１３  油吸着剤用バスケット
１７  入口路
１８  インジケータプレート
２１  スプリング
２２  ラチェット
２３  取っ手
２４  蓋
【図１】
2005334721.tif 000003
【図２】
2005334721.tif 000004
【図３】
2005334721.tif 000005
【図４】
2005334721.tif 000006